(57)【要約】【課題】  本考案は、ストラップにより身に付けることのできる電子装置に関し、この様な装置の視覚的印象と取り扱い性とを改善する。【解決手段】  本考案の第１特徴によれば、ストラップを装置内に巻き取るとともに、装置内に巻き取られたストラップを繰り出すためのリール手段を含むことが提案される。本考案の第２特徴によれば、ストラップを着脱可能に結合するための結合手段を装置が含むことが更に提案され、この結合手段は充電ユニットを接続するための充電結合部の一部を形成し、この充電結合部は、ストラップが結合手段によって装置に結合されているときには事実上見えない。【選択図】      図１
0003104504.tif 000002
【実用新案登録請求の範囲】
【請求項１】
電子装置を身に付けやすくするためのストラップ（２）と、前記ストラップ（２）を前記電子装置（１）の中に巻き取るとともに、前記電子装置内に巻き取られた前記ストラップ（２）を繰り出すためのリール手段とを含むことを特徴とする、電子装置。
【請求項２】
前記リール手段はバネ負荷リール手段であることを特徴とする、請求項１に記載の電子装置。
【請求項３】
前記ストラップ（２）の第１端部は前記リール手段に固定して結合され、前記ストラップ（２）の第２端部および前記電子装置（１）は、前記ストラップ（２）の第２端部を前記電子装置（１）に着脱可能に結合させるための相互作用結合手段（４、５、６）を有することを特徴とする、請求項１又は２に記載の電子装置。
【請求項４】
前記相互作用結合手段（４、５、６）は、前記ストラップ（２）の第２端部と前記電子装置（１）とのクリック結合を可能にすることを特徴とする、請求項３に記載の電子装置。
【請求項５】
前記電子装置（１）は前記電子装置（１）にエネルギーを供給する再充電可能な電力供給コンポーネントを含み、かつ前記電子装置（１）の前記結合手段（４）は、前記ストラップ（２）の第２端部が前記電子装置（１）に結合されていないときに前記電子装置（１）の前記再充電可能電力供給コンポーネントに充電するための充電結合部を形成し、この充電結合部は、前記ストラップ（２）の第２端部が前記電子装置（１）に結合されているときには事実上見えないことを特徴とする、請求項３又は４に記載の電子装置。
【請求項６】
前記電子装置は移動電話であり、前記ストラップは前記電子装置に結合されているときに誘導ループを形成し、前記誘導ループは、補聴器を使用するユーザーのために前記移動電話の使用を支援することを特徴とする、請求項１から５のいずれか一つに記載の電子装置。
【請求項７】
電子装置（１）にエネルギーを供給する再充電可能電源コンポーネントと、前記電子装置（１）を身に付けやすくするストラップ（２）を着脱可能に結合するための結合手段（４）とを含む電子装置（１）であって、前記結合手段（４）は、前記結合手段（４）によって前記電子装置（１）にストラップ（２）が結合されていないときに前記再充電可能電力供給コンポーネントに充電するための充電結合部を形成し、この充電結合部は、前記結合手段（４）によってストラップ（２）が前記電子装置（１）に結合されているときには事実上見えないことを特徴とする、電子装置。
【請求項８】
前記電子装置（１）の前記結合手段（４）は前記電子装置（１）とストラップ（２）の少なくとも一端とのクリック結合を可能にすることを特徴とする、請求項７に記載の電子装置。
【請求項９】
第１端部が前記電子装置（１）に固定して結合されているストラップ（２）と、前記ストラップ（２）を前記電子装置（１）内に巻き取るとともに、前記電子装置（１）内に巻き取られた前記ストラップ（２）を繰り出すためのリール手段とを有し、前記ストラップ（２）の第２端部は、前記ストラップ（２）の第２端部を前記電子装置（１）に着脱可能に結合させるために前記電子装置（１）の前記結合手段（４）と相互作用する結合手段（５、６）を含むことを特徴とする、請求項７又は８に記載の電子装置。
【請求項１０】
前記リール手段はバネ負荷リール手段であることを特徴とする、請求項９に記載の電子装置。
【請求項１１】
前記電子装置は移動電話であり、前記電子装置はストラップを含み、前記ストラップは前記移動電話に結合されているときには誘導ループを形成し、前記誘導ループは、補聴器を使用するユーザーのために前記移動電話の使用を支援することを特徴とする、請求項７から１０のいずれか一つに記載の電子装置。
【考案の詳細な説明】
【技術分野】
【０００１】
本考案は、ストラップにより身に付けることのできる電子装置に関する。
【背景技術】
【０００２】
例えば移動端末装置やBluetooth（商標）アクセサリーなど、携帯用の電子装置は当技術分野で良く知られている。電子装置を便利に身に付けられるようにするストラップをこの様な電子装置に備え付けることも同じく知られている。ストラップがループの形を有する場合、例えば、それをユーザーの首或いは手首の回りに付けたり、或いはベルトループとして使用したりすることができる。
【０００３】
しかし、ストラップは時には電子装置を身に付けやすくすることができる一方で、例えば電子装置を単にポケットに入れるときなどには、ストラップが不便で且つ審美的観点から望ましくないときもある。
【０００４】
更に、電子装置をジュエリーのような物として形成することが提案されており、この場合、デザインは非常に重要な要素の一つである。この様な装置は例えば大メダルの形を持つことができる。しかし、携帯用電子装置は電池のような内臓電源により作動するので、定期的に充電しなければならず、従って充電接続部を必要とする。審美上の理由から、この様な製品では、目に見える充電接続部は非常に望ましくない。また、充電接続部は装置のサイズをかなり大きくする。
【考案の開示】
【考案が解決しようとする課題】
【０００５】
本考案の目的は、ストラップにより身に付けることのできる電子装置の視覚的印象を改善することである。ストラップにより身に付けることのできる電子装置の取り扱い性を改善することも本考案の目的である。
【課題を解決するための手段】
【０００６】
本考案の第１の特徴によれば、電子装置は、装置を身に付けやすくするためのストラップと、ストラップを電子装置内に巻き取ったり、電子装置内に巻き取られたストラップを繰り出したりするためのリール手段とを含む。
【０００７】
好適形態において、前記リール手段はバネ負荷リール手段である。実施可能な形態において、巻き取りは、ユーザーが巻き取り手段を操作することにより手操作で実行される。しかし、好ましくは、巻き取りは、例えばバネにより、ユーザーが開始することにより或いはユーザーの制御下で、自動的に実行される。ストラップの一端が電子装置から分離可能である場合には、ユーザーがストラップを電子装置から分離することによって巻き取りを開始させることができる。
【０００８】
好適形態において、前記ストラップの第１端部は前記リール手段に固定して結合され、前記ストラップの第２端部および前記電子装置は、前記ストラップの第２端部を前記電子装置に着脱可能に結合させるための相互作用結合手段を有する。前記相互作用結合手段は、前記ストラップの第２端部と前記電子装置とのクリック結合を可能にするものである。
【０００９】
好適形態において、前記電子装置は前記電子装置にエネルギーを供給する再充電可能な電力供給コンポーネントを含み、かつ前記電子装置の前記結合手段は、前記ストラップの第２端部が前記電子装置に結合されていないときに前記電子装置の前記再充電可能電力供給コンポーネントに充電するための充電結合部を形成し、この充電結合部は、前記ストラップの第２端部が前記電子装置に結合されているときには事実上見えない構成である。
【００１０】
選択的に、前記電子装置は移動電話であり、前記ストラップは前記電子装置に結合されているときに誘導ループを形成し、前記誘導ループは、補聴器を使用するユーザーのために前記移動電話の使用を支援するものである。
【００１１】
本考案の第２の特徴によれば、電子装置は、エネルギーを電子装置に供給する再充電可能な電源コンポーネントと、電子装置を身に付けやすくするストラップを着脱可能に結合する結合手段とを含む。前記結合手段は、同時に、結合手段によって電子装置にストラップが結合されていないときに電子装置の再充電可能電源に充電するための充電結合部を構成する。結合手段によって電子装置にストラップが結合されているときには充電結合部は事実上見えない。
【００１２】
好適形態において、前記電子装置の前記結合手段は前記電子装置とストラップの少なくとも一端とのクリック結合を可能にすることを特徴とするものである。好適形態において、前記ストラップは第１端部が前記電子装置に固定して結合されており、前記ストラップを前記電子装置内に巻き取るとともに、前記電子装置内に巻き取られた前記ストラップを繰り出すためのリール手段を有し、前記ストラップの第２端部は、前記ストラップの第２端部を前記電子装置に着脱可能に結合させるために前記電子装置の前記結合手段と相互作用する結合手段を含む。
【００１３】
好適形態において、前記リール手段はバネ負荷リール手段である。更に、前記電子装置は移動電話であり、前記電子装置はストラップを含み、前記ストラップは前記移動電話に結合されているときには誘導ループを形成し、前記誘導ループは、補聴器を使用するユーザーのために前記移動電話の使用を支援するものであってよい。
【００１４】
再充電可能な電源コンポーネントは、例えば電池又は燃料電池であってよい。電池は、特に充電ユニットを結合することによって再充電可能である。燃料電池は、特に燃料カートリッジを交換することによって再充電可能である。
【００１５】
本考案のこの２つの特徴を単一装置において結合させることもできることは明らかである。
【００１６】
例えば移動端末装置やBluetooth（商標）装置などの、ストラップを結合させることのできる任意の電子装置に本考案の２つの特徴を使用することができる。電子装置は純粋な表示装置であってもよく、この装置は、例えばＩＲ（赤外線）インターフェースを介して装置に読み込まれたイメージなど、装置のメモリーに記憶されているイメージをディスプレイ上に提示する。
【００１７】
電子装置は、例えば大メダル或いはお守りなどの、所望のいかなる形に設計されてもよい。本考案の電子装置を構成する大メダルは、移動電話とのBluetooth（商標）接続を可能にするアクセサリーであってもよい。本考案による電子装置を構成する移動電話又は他の何らかの電子装置は、設けられているユーザーインターフェースの少なくとも一部へのアクセスを可能にするために開かなければならないように構成されても良い。ストラップを首や手首の回りに付け、或いはストラップをベルトループとして使用することによって、装置を身に付けることができる。
【００１８】
使用されるストラップは、どのような形状及び材料のものであってもよい。ストラップは、例えば、単純なベルト、或いは追加の機能を提供するケーブルなどであってよい。それは、例えば、補聴器を使う人が移動電話で話をすることを可能にするノキアのモバイルインダクティブループセットＬＰＳ−１（Nokia Mobile Inductive Loopset LPS-1）と同様の誘導ループを構成することができる。
【００１９】
本考案の他の目的及び特徴は、本考案の代表的実施形態についての以下の詳しい記述を添付図面と関連させて考察することから明らかとなろう。
【考案の効果】
【００２０】
本考案の第１の特徴は、必要のないときには電子装置のストラップは装置内に巻き取っておくのが一番良いであろうという考えに由来する。ストラップにより再び装置を身に付けるときには、ユーザーは単にストラップを再び繰り出せばよい。
【００２１】
本考案の第１の特徴による電子装置の利点は、装置をストラップによって身に付けないときには邪魔なストラップは存在せず、かつストラップが見えなくなることである。ストラップを電子装置から完全に取り外すことと比較すると、ストラップが装置内に収容される場合にはストラップを紛失する危険がないという利点がある。ストラップを電子装置内に部分的に巻き取ることによってストラップの長さを適宜調整できるというもう一つの利点もある。
【００２２】
有利なことに、ストラップの第１端部を電子装置のリール手段に固定して結合し、ストラップの第２端部を電子装置から分離することができる。ストラップの第２端部が電子装置から分離されているとき、基本的にストラップ全体が装置内に隠れるまで、巻き取り機構はストラップの固定されている第１端部からストラップを装置内に巻き取ることができる。
【００２３】
本考案の第２の特徴は、電子装置のストラップ結合箇所を充電ステーションを結合するためにも利用し、このことにより充電結合部を他の何処かに追加する必要を回避することができるというアイデアに由来する。
【００２４】
本考案の第２の特徴に従って提案されている電子装置の利点は、装置を充電しておらずストラップが結合箇所に結合されているあいだは充電結合部がストラップにより隠されることである。装置の電力供給装置に充電をするためには、ストラップと電子装置との結合部を単に分離し、このとき露出した充電結合部を、充電ユニットを結合するために使用することができる。本考案の第２の特徴に従って提案される電子装置の別の利点は、追加の充電結合部が付いている場合よりも装置が小さく見えることである。
【考案を実施するための最良の形態】
【００２５】
図１は、ストラップ２によって身に付けることのできる本考案による電池作動式電子装置１の実施形態を示す。
【００２６】
装置１は、電池から給電される小型の移動電話である。装置１の基本的に円形のディスプレイは、この図では時計と、数個の選択可能な機能とを表示している。装置は、第１開口部３と第２開口部４とを有する。更に、装置１は一体化されているリール機構（図示されていない）を含んでおり、これは第１開口部３を介してアクセス可能である。リール機構は、小型のバネ負荷リールによって実現される。第２開口部４は、開口部４に挿入された対応するボルトとクリック結合を形成するのに適した結合手段として構成される。同時に、第２開口部４は、装置１の電池と伝導結合するＤＣ（直流）ジャックを形成する。装置１は、更に、ボタン（図示されていない）を含む。そのボタンは、一方で装置１内で結合手段の可動部に結合される。他方、このボタンは、装置１内で、リール機構のリールを停止させるのに適した停止手段に結合される。このボタンが押されていなければ、停止手段がリールを停止させている。
【００２７】
ストラップ２の第１端部は装置１に固定して結合されている。より具体的には、ストラップ２の第１端部は装置１の第１開口部３を介して装置１に侵入している。装置１内で、ストラップ２の第１端部はリール機構のリールに結合されている。リール機構は、バネ張力によってリールを回転させることによりストラップ２を装置１内でリールに巻き取るようになっている。
【００２８】
ストラップ２の第２端部は図では装置１に結合されていない。ストラップ２の第２端部に、ボルト５が取り付けられている。ボルト５は、頂部に突出リング６を有する。ボルト５は、このリング６により、装置１の第２開口部４により形成されている結合手段とクリック結合をするようになっている。
【００２９】
ユーザーが装置１の電池に充電したいと思う場合、ユーザーは、ＤＣジャックを形成する装置の第２開口部４に電池充電ユニットのプラグを結合させることができ、その後、電池は充電されることになる。従って、このＤＣジャックは装置１の充電結合部を構成する。
【００３０】
ユーザーがストラップ２によって装置１を身に付けたいと思う場合、ユーザーは単にボルト５を第２開口部４に挿入するだけでよい。これにより、クリック結合が得られ、ストラップ２はループを形成し、これをユーザーは例えば自分の首や手首の回りに装着することができる。明らかなように、クリック結合を達成する前にストラップ２をユーザーの首や手首の回りに装着することもできる。ストラップ２の第２端部が装置１に結合されているときには、ＤＣジャックは見えない。
【００３１】
ユーザーが例えば装置１をポケットに入れるために装置１のサイズを小さくしたいと思う場合、ユーザーは、第２開口部４により形成される結合手段とストラップ２の第２端部のボルト５との結合を解除する。この結合を解除するために、ユーザーは装置１のボタンを押し、ボタンは、押されると、結合手段の一部を動かして結合を解除させ、その後、ユーザーはボルトを第２開口部４から引き抜くことができる。
【００３２】
またボタンを押すと、停止手段の解除ももたらされる。即ち、ユーザーがボタンを押している間、リール機構のバネ負荷リールは、ストラップ２が略完全に装置１の中に引き込まれるまで、リールに結合されているストラップ２の第１端部からストラップ２を巻き取ってゆく。ストラップ２の第２端部のボルト５上のリング６は第１開口部３を通過するには大きすぎるので、ストラップ２は装置１の中に完全には引き込まれない。従って、ストラップ２の第２端部のボルト５の頂部だけが依然として見える。結果として、装置１はこの状態では非常にコンパクトになっていて、何処かに都合よく保管することができる。
【００３３】
ストラップ２を再び使用するには、ユーザーは再びボタンを押しかつ同時にストラップ２の第２端部のボルト５を引っ張ってストラップをリールから繰り出さなければならない。その際に、ユーザーは、ストラップ２の長さを、従って、形成されるべきループのサイズを調節することもできる。ストラップ２をリールから繰り出すことによりリールに作用するバネ張力も回復する。
【００３４】
記載された実施形態が本考案の実施可能な種々の実施形態のうちの一つを構成するに過ぎないことに留意されるべきである。
【図面の簡単な説明】
【００３５】
【図１】本考案による電池作動式電子装置の実施形態を示す。
【符号の説明】
【００３６】
１…電子装置
２…ストラップ
３…第１開口部
４…第２開口部（結合手段）
５…ボルト（結合手段）
６…リング（結合手段）
【図１】
0003104504.tif 000003